(57)【特許請求の範囲】
【請求項１】
壁裏に配管されたフレキシブルな給水湯管が一端に接続され、他端の接続口を壁表に向けて壁裏に設置される継手と、
該継手への湯水の供給を制御する開閉弁を備え、該開閉弁の開閉操作を行なう操作部を壁表に向けて壁裏に設置されるバルブと、
壁表に取付けられ、前記バルブの操作部を覆うとともに該操作部を壁表に臨ませ得るべく開閉可能な操作扉を備えた化粧プレートと
からなり、
前記化粧プレートの操作扉は、壁表から前記継手の接続口に被接続体を接続することに連動して開き、該被接続体の接続を解除することに連動して閉じることを特徴とする湯水供給用接続コンセント装置。
【請求項２】
前記バルブは、継手に一体に設けられたことを特徴とする請求項１に記載の湯水供給用接続コンセント装置。
【請求項３】
前記化粧プレートの操作扉は、壁表から前記継手の接続口に被接続体を螺合により接続することに連動して開き、該被接続体の螺合による接続を解除することに連動して閉じることを特徴とする請求項１または請求項２に記載の湯水供給用接続コンセント装置。
【発明の詳細な説明】
【０００１】
【発明の属する技術分野】
本発明は、ヘッダーと呼ばれる液供給部から壁裏に配管された給水湯管を壁孔を通して壁表の接続管、水栓等の配管に接続させるために、壁裏に設置され、湯水の供給を制御するバルブを備えた湯水供給用接続コンセント装置に関するものである。
【０００２】
【従来の技術】
従来のこの種の湯水供給用接続コンセント装置として、例えば、特公平６−１５９１２号公報に掲載の技術が開示されている。前記公報に掲載の湯水供給用接続コンセント装置は、一端がヘッダー等の湯水供給体に連結されて壁裏に配管されたフレキシブルな給水管の他端に、継手を連結し、該継手を壁表に臨ませるべく壁裏に設置されるものである。そして、壁裏に設置された後は、当該継手の接続口に壁表から接続管や水栓等の被接続体を接続し、台所、浴槽、トイレ、暖房機器等の湯水消費体に湯水が供給されるよう壁表の配管を行なうようにしていた
。
また、従来より、各湯水消費体に供給される湯水を遮断するため、壁表において、継手に接続される被接続体等から湯水消費体に至るまでの配管途中に開閉弁を設けるようにしていた。
【０００３】
【発明が解決しようとする課題】
しかし、前記壁表配管に開閉弁を設けることは、室内の美観を損ねるばかりか、邪魔になって室内を有効に活用できない。また、開閉弁の操作部が室内に露出するため、不用意に弁が開閉されるおそれがあり、幼児のいたずら等にも注意を払わねばならなかった。
【０００４】
そこで、本発明は、開閉弁を壁表に臨ませて壁裏に設け、もって、室内の美観の向上及び室内の有効活用を図るとともに、壁表からの不用意な操作を防止できる湯水供給用接続コンセント装置の提供を課題とするものである。
【０００５】
【課題を解決するための手段】
請求項１の発明に係る湯水供給用接続コンセント装置は、壁裏に配管されたフレキシブルな給水湯管が一端に接続され、他端の接続口を壁表に向けて壁裏に設置される継手と、該継手への湯水の供給を制御する開閉弁を備え、該開閉弁の開閉操作を行なう操作部を壁表に向けて壁裏に設置されるバルブと、壁表に取付けられ、前記バルブの操作部を覆うとともに、該操作部を壁表に臨ませ得るべく、開閉可能な操作扉を備えた化粧プレートとで構成し、前記化粧プレートの操作扉が、壁表から前記継手の接続口に被接続体を接続することに連動して開き、該被接続体の接続を解除することに連動して閉じるようにした。
【０００６】
請求項２の発明に係る湯水供給用接続コンセント装置は、請求項１に記載のバルブが継手に一体に設けられたものである。
【０００７】
請求項３の発明に係る湯水供給用接続コンセント装置は、請求項１または請求項２に記載の化粧プレートの操作扉が、壁表から前記継手の接続口に被接続体を螺合により接続することに連動して開き、該被接続体の螺合による接続を解除することに連動して閉じるものである。
【０００８】
【発明の実施の形態】
以下、本発明の実施例を図１乃至図７に基づいて説明する。
図において、ボックス本体１は壁３１の裏面に取付けられ、一面が開口した箱状体に形成されるとともに、一側壁にはフレキシブルな蛇腹構造の鞘管３２の端部を取付ける挿通管１ａが設けられている。前記鞘管３２の内部には図示しないヘッダーと呼ばれる液供給部から壁裏に配管されたフレキシブルな給水湯管３３が挿通されている。前記ボックス本体１は開口縁部に形成されたフランジ１ｂに穿設された取付孔１ｃに螺子を使用して壁３１の裏面に取付けられている。
【０００９】
そして、前記ボックス本体１の内部には、継手２とバルブ３とが収納されており、前記バルブ３は液供給部からの湯水の流通を遮断する開閉弁４とドライバー等を使用して壁３１の表側から回動することによって前記開閉弁４の開閉を行なう操作部５とで構成されている。前記継手２は２分割されており、接合部６の螺合によって一体に接合され、接合時にバルブ３を収容することによって前記継手２内にこれを介在できるようになっている。なお、前記バルブ３は予め工場で継手に一体化され、耐圧試験を受けた後工場出荷されている。前記継手２の下垂する一側の端部には合成樹脂製の継手リング７を介して前記給水湯管３３の先端部を取付けるための袋ナット８が螺着されている。そして、前記継手２の他端部には壁３１の壁穴３１ａから壁表に臨む接続部９が形成されており、その外周面には雄ねじ１０が螺刻されている。前記継手２の内部は給水湯管３３からの湯水を図７に示す壁表の接続管３４や図示しない水栓等に通流する流路１１が形成されている。
【００１０】
一方、壁３１の表面には、合成樹脂、金属板等からなる化粧プレート２１が、図示しないが、ボックス本体１のねじ孔に螺子を使用した螺合によって直接固定されている。なお、前記化粧プレート２１は別途の挟持片による挟持手段などによって壁３１に固定するものとしてもよい。前記化粧プレート２１は四角板状の基礎プレート２２の表面に上下方向に摺動可能なカバー２３が一体に取付けられており、基礎プレート２２の外縁部に設けられた係合突部２２ａと係合して摺動できるようになっている。段部２４は前記カバー２３の下方の行き過ぎを規制するものであり、前記カバー２３がこの段部２４に当接した状態では基礎プレート２２の前面全体を覆うようになっている。更に、前記化粧プレート２１の基礎プレート２２には前記継手２の接続部９と対向する位置に丸孔２２ｂと前記バルブ３の操作部５と対向する位置に操作孔２２ｃとが形成されている。
【００１１】
前記基礎プレート２２の裏面には、図５及び図６に示すように、２個の平行する取付片２５に、図６に示すように断面が屈曲形成されたコ字状枠からなるプッシュバー２６が軸２６ａを介して回動自在に取付けられ、更に、前記プッシュバー２６のコ字状枠の両先端部における腕板２６ｂに設けられたスライド軸２６ｃが四角板状の操作扉２７の両端部に設けられた取付フランジ２７ａの長孔２７ｂに係合してその内部を左右に往復動できるようになっている。そして、前記軸２６ａにはコイルばね２６ｄが取付けられていて前記プッシュバー２６の上端部を常時化粧プレート２１の裏面側に押圧している。また、前記操作扉２７は基礎プレート２２の裏面に形成された四角形状の凹面２８内を上下方向に一定距離摺動でき、その摺動に伴って前記操作孔２２ｃは開閉されるようになっている。
【００１２】
次に、上記のように構成された本実施例の湯水供給用接続コンセント装置の動作及び作用を説明する。
壁３１の裏面側に継手２及びバルブ３を収容したボックス本体１を取付け、壁３１の表面側に化粧プレート２１を取付け、給水湯管３３を継手２の下端部に取付けた状態において、被接続体である接続管３４を接続する前においては、化粧プレート２１はカバー２３が基礎プレート２２に嵌合して段部２４に当接した状態にあり、また、バルブ３の操作部５はその前方が操作扉２７で遮蔽された状態にある。したがって、この状態においては、閉じた状態にある継手２の操作部５を回動操作して開閉弁４を開けることはできず、不用意に或いはいたずらで操作部５が操作されることはない。このため、接続管３４が接続されていない状態において給水湯管３３内の湯水が継手２の接続部９から放出するのが防止される。
【００１３】
次に、接続管３４を接続するときは、まず、化粧プレート２１のカバー２３を上方に摺動して押上げ、継手２の接続部９を壁穴３１ａ及び化粧プレート２１の丸孔２２ｂから壁表に露出させる。次いで、前記接続管３４の先端内周面に螺刻された雌ねじを化粧プレート２１の丸孔２２ｂ及び壁穴３１ａを通して継手２の接続部９の雄ねじ１０に螺合していくと、当初コイルばね２６ｄの付勢によって図１の位置にあったプッシュバー２６は接続管３４の先端部に押圧されて軸２６ａを軸としてボックス本体１の内部側に回動して後退する。すると、プッシュバー２６は腕板２６ｂの壁表側への回動に伴ってスライド軸２６ｃが操作扉２７の長孔２７ｂ内を摺動して他端側に移動するとともに、前記操作扉２７は基礎プレート２２の凹面２８内を上方に摺動して図７に示す位置に移動する。これに伴って、基礎プレート２２の操作孔２２ｃが壁表に露出するので、壁表からドライバー等を挿入して操作部５を回動し、被接続管３４の接続前は閉じた状態にある開閉弁４を開けて湯水を通流できる状態となる。そこで、端末の水栓の蛇口等をひねれば湯水を放出することができる。
【００１４】
一方、接続管３４の接続を解除すると、接続管３４の壁表への引出しに伴ってコイルばね２６ｄの付勢力により、プッシュバー２６が戻されて操作扉２７は下方に移動する。これによって、操作孔２２ｃが操作扉２７で閉塞されるので、以後壁表からドライバー等を挿入して操作部５を操作して開閉弁４を開けることが不能となる。
即ち、本実施例の湯水供給用接続コンセント装置においては、接続管３４の接続操作に連動してプッシュバー２６を介してバルブ３の操作部５の前方に位置する化粧プレート２１の操作孔２２ｃが開閉する。
【００１５】
このように、本実施例の湯水供給用接続コンセント装置は、壁裏に配管されたフレキシブルな給水湯管３３が一端に接続され、他端の接続口である接続部９を壁表に向けて壁裏に設置される継手２と、該継手２への湯水の供給を制御する開閉弁４を備え、該開閉弁４の開閉操作を行なう操作部５を壁表に向けて壁裏に設置されるバルブ３と、壁表に取付けられ、前記バルブ３の操作部５を覆うとともに、該操作部５を壁表に臨ませ得るべく、開閉可能な蓋部としての操作扉２７を備えた化粧プレート２１とで構成し、前記化粧プレート２１の操作扉２７が、壁表から前記継手２の接続部９に被接続体としての接続管３４を接続することに連動して開き、該接続管３４の接続を解除することに連動して閉じるようにしたものである。
【００１６】
したがって、開閉弁４を壁表に臨ませて壁裏に設けているので、室内の美観が向上し、また、開閉弁４が室内に突出しないので、室内の有効活用を図ることができる。
更に、化粧プレート２１の操作扉２７が、壁表から前記継手２の接続部９に接続管３４を接続することに連動して開き、該接続管３４の接続を解除することに連動して閉じるようにしているから、接続管３４が接続されていない状態で壁表から不用意に或いはいたずらで開閉弁４を開けて湯水を継手２の接続部９から放出させてしまうのを防止することができる。
加えて、従来は配管経路途中の洩れや水圧を確認するには接続管３４や水栓等の被接続体が継手２に接続した状態でないと行なえなかったが、本発明によれば
、バルブ３は壁裏に設けられていて接続管３４の接続されていない状態では閉じた状態にあるので、接続管３４が接続されていなくても配管経路途中の洩れや水圧を確認することができる。
【００１７】
ところで、上記実施例においては、化粧プレート２１のプッシュバー２６は接続管３４を継手２の接続部９に螺着して接続することに連動して回動するものとしているが、これに限定されるものではなく、ワンタッチ接続で接続管３４を接続する場合にも適用することができ、要するに、接続管３４の接続時にプッシュバー２６が押圧されて回動するものであれば、任意の接続手段に適用することができる。
また、上記実施例において、バルブ３は継手２に一体に組込まれたものを示しているが、本発明を実施する場合には、バルブ３は継手２と別体に壁裏に取付けるものであってもよい。
【００１８】
【発明の効果】
以上のように、本発明の湯水供給用接続コンセント装置は、継手と、湯水の供給を制御する開閉弁及び該開閉弁の開閉操作を行なう操作部を備えて壁裏に設置されるバルブと、壁表に取付けられ、前記バルブの操作部を覆う開閉可能な操作扉を備えた化粧プレートとで構成し、前記化粧プレートの操作扉が、壁表から前記継手の接続口に被接続体を接続することに連動して開き、該被接続体の接続を解除することに連動して閉じるようにしたものである。したがって、開閉弁を壁表に臨ませて壁裏に設けているので、室内の美観が向上し、また、開閉弁が室内に突出しないので、室内の有効活用を図ることができる。更に、化粧プレートの操作扉が、壁表から前記継手の接続口に被接続体を接続することに連動して開き、該被接続体の接続を解除することに連動して閉じるようにしているから、被接続体が接続されていない状態で壁表から不用意に或いはいたずらで開閉弁を開けて湯水を継手の接続部から放出させてしまうのを防止することができる。
【図面の簡単な説明】
【図１】  本発明の実施例の湯水供給用接続コンセント装置を示す縦断面図である。
【図２】  図１の湯水供給用接続コンセント装置を示す正面図である。
【図３】  図１の継手を示す正面図である。
【図４】  図３の継手を示す縦断面図である。
【図５】  図１の化粧プレートを示す正面図である。
【図６】  図５の化粧プレートを示す縦断面図である。
【図７】  図１の湯水供給用接続コンセント装置において被接続体を接続した後の状態を示す縦断面図である。
【符号の説明】
２    継手
３    バルブ
４    開閉弁
５    操作部
９    接続部
２１  化粧プレート
２３  カバー
２７  操作扉
３１  壁
３３  給水湯管
３４  接続管
【図１】
0003790861.tif 000002
【図２】
0003790861.tif 000003
【図３】
0003790861.tif 000004
【図４】
0003790861.tif 000005
【図５】
0003790861.tif 000006
【図６】
0003790861.tif 000007
【図７】
0003790861.tif 000008